(57)【要約】【課題】扉用面付ユニットを扉の壁面に取付けたとき、扉厚に対応して錠箱の固定筒に嵌合する回転体の軸方向（扉の厚さ方向）の微調節を自動的に行うこと。【解決手段】扉の自由端部に固定的に組み込まれる錠箱内の出力部と、扉の壁面に取付けられる扉用面付ユニットの入力部との間に連結的に介在し、入力部から入力を出力部に伝える扉用面付ユニットからの動力連結機構に於いて、動力連結機構は、錠箱に固定されると共に、中心部に水平嵌合孔を有する固定筒と、この固定筒に嵌合すると共に、入力部に係合する外端係合部を有する第１回転体と、同様に固定筒に嵌合すると共に、一端部が該第１回転体の内端部と係合して共働回転し、かつ、他端部が出力部に係合する第２回転体と、この第２回転体と第１回転体に介在し、扉用面付ユニットを扉の壁面に取付けたとき、出力部の位置と壁面との距離に対応して扉の厚さ方向に伸縮する弾発性部材とから成る。【選択図】図１
2016151140.tif 000002
【特許請求の範囲】
【請求項１】
扉の自由端部に固定的に組み込まれる錠箱内の出力部と、前記扉の壁面に取付けられる扉用面付ユニットの入力部との間に連結的に介在し、前記入力部から入力を前記出力部に伝える扉用面付ユニットからの動力連結機構に於いて、
前記動力連結機構は、前記錠箱に固定されると共に中心部に水平嵌合孔を有する固定筒と、この固定筒に嵌合すると共に前記入力部に係合する外端係合部を有する第１回転体と、同様に前記固定筒に嵌合すると共に一端部が該第１回転体の内端部と係合して共働回転し、かつ他端部が前記出力部に係合する第２回転体と、この第２回転体と前記第１回転体に介在し、前記扉用面付ユニットを前記扉の壁面に取付けたとき、前記出力部の位置と前記壁面との距離に対応して扉の厚さ方向に伸縮する弾発性部材とから成る扉用面付ユニットからの動力連結機構。
【請求項２】
請求項１に於いて、扉用面付ユニットは、扉錠におけるサムターン装置又はシリンダ装置のいずれかであることを特徴とする扉用面付ユニットからの動力連結機構。
【請求項３】
請求項１又は請求項２に於いて、扉用面付ユニットが、サムターン装置である場合には、第１回転体は短筒状に形成され、該短筒状の第１回転体の係合孔に入力部を構成するサムターン軸が係入すると共に、前記サムターン軸の外周部に前記第１回転体を第２回転体の方向に押付ける押圧部分が形成されていることを特徴とする扉用面付ユニットからの動力連結機構。
【請求項４】
請求項１又は請求項２に於いて、扉用面付ユニットが、サムターン装置である場合には、第１回転体は、固定筒の水平嵌合孔に内装された短筒部と、該短筒部に一体的に設けられ或いは一体成形され、前記固定筒の水平嵌合孔から突出して扉用面付ユニットの入力部を構成する回転体の係合穴に係入する長杆状軸部とから成り、前記第１回転体が弾発部材の弾発力に抗して第２回転体の方向にスライドする条件は、前記長杆状軸部に設けた突起部分が扉の壁面に当接するか、又は前記長杆状軸部の外端部が前記扉用面付ユニットに当接するか、或いは又前記入力部の回転体の受け部に当接するか、のいずれかであることを特徴とする扉用面付ユニットからの動力連結機構。
【請求項５】
請求項１に於いて、第２回転体（２８）は、第１係合片（２８Ａ）と、該第１係合片に面接触状態で一体的に係合すると共に異径の連結軸部が出力部に係合する第２係合片（２８Ｂ）とで構成され、前記第２係合片は固定筒の内端部に内設された止め具（３７）で規制されていることを特徴とする扉用面付ユニットからの動力連結機構。
【発明の詳細な説明】
【技術分野】
【０００１】
本発明は扉用面付ユニットからの動力連結機構に関し、特に扉錠における扉用面付ユニットからの動力連結機構に関する。
【背景技術】
【０００２】
特許文献１には、扉錠における扉用面付ユニットからの動力連結機構の一例として、「錠箱のサムターン連結機構（以下、単に「連結機構」という）」が記載されている。
【０００３】
すなわち、特許文献１の連結機構は、「錠箱１内において、カップ状部分を有する一対のカム支持部材１４、１４の間にデッドカム４、４を挟んでこれを回動可能に支承し、各カム支持部材の凹陥部を外側に向けて固定したものにおいて、錠箱側面の室内側の開口を挿通して錠箱内に挿入され、カム支持部材の凹陥部と嵌合する小径部１６を有する段付の連結プラグ１５を設け、この連結プラグ１５を、小径部１６及び錠箱１を水平に貫通する少なくとも２本の装着杆２１、２１を介して錠箱１に係止すると共に、内端にデッドカム４、４と係合する異形軸を、外端にクラッチ孔を夫々形成したサムターン軸７をこの連結プラグ１５に同軸かつ回動可能に支承し、一方、連結プラグ１５の大径部１７外周面に雄ねじ部を形成すると共に、大径部の外面に少なくとも１個の取付雌ねじ孔２３を形成し、他方、連結プラグ１５の雄ねじ部に、カップ状で内側に雌ねじ部２６を形成した調整カップ２４を螺合させ、この調整カップ２４の底面中央に、サムターン８の内端が挿通する連結孔２７を開口させると共に、この連結孔の周辺に、連結プラグ１５の取付雌ねじ孔２３と整合可能な複数のねじ挿通孔２８を同一円上に開口させ、調整カップ２４の底面が扉外板２５の内面に接する状態で、扉外板２５に取付雌ねじ孔と同軸に開口した外側ねじ挿通孔、及び調整カップのねじ挿通孔を挿通して内端部が取付雌ねじ孔２３と螺合する取付ねじ１２により、連結プラグ１５及び調整カップ２４を扉外板２５に呼び付けるようにねじ止めすること」を特徴とする（符号は特許文献１のもの）。
【０００４】
上記構成の連結機構は、扉用面付ユニット（実施形態ではサムターン装置）の入力手段（サムータン）からの入力を扉の木口から組み込まれた錠箱内の出力手段であるデッドボルト用制御手段（デッドカム）に動力を伝達するものであるが、扉厚、錠箱の大きさや取付け如何等によって、デッドボルト用制御手段から扉の内壁面までの距離が相違するために、連結プラグ１５の軸方向（扉厚方向）を微調節する必要がある。そこで、該連結機構は、例えば連結プラグ１５及び調整カップ２４を扉外板２５に呼び付ける場合には、工具（ドライバー）でもって複数の取付ねじ１２を扉外板２５に呼び付けるように回すというものである。
【０００５】
しかしながら、前記呼び付け型の微調節は工具を用いるものであるから、面倒であると共に、扉用面付ユニットを扉の内壁面に装着した場合には、該扉用面付ユニットを取り外さないと前記微調節を行うことができない。そのため、微調節を行わない場合には連結プラグ１５を取付けた後の動力伝達性を十分なものにすることができないという問題点があった。また連結プラグ１５及び調整カップ２４の各構造が複雑であった（オネジ部、メネジ部、複数のネジ孔等を形成する必要がある）。そこで、このような問題点を解決するために本発明が出現した。
【０００６】
ところで、上記の問題点は、扉用面付ユニットの一例であるサムターン装置のみではなく、扉の外壁面に取付けられる他の面付ユニット（シリンダ装置、ハンドル用取付け台座を含むハンドル装置等）についても同様であり、例えば手動又は電動で回転するシリンダ装置の内筒のテールピースが係合するシリンダ用デッドカムと扉の外壁面までの距離が相違する場合にも起こり得る。
【０００７】
なお、特許文献２には、施・解錠用回転軸を備えた接続アダプタを含む電気錠取り付構造が記載されているが、該特許文献２の如く、扉用面付ユニットが「電動サムターン」である場合にも扉用面付ユニットからの動力連結機構として適用され得る。
【先行技術文献】
【特許文献】
【０００８】
【特許文献１】特許第４４２８５０３号
【特許文献２】特許第５０４７８１９号
【発明の概要】
【発明が解決しようとする課題】
【０００９】
本願発明の主たる目的は、扉用面付ユニットを扉の壁面に取付けたとき、扉厚に対応して錠箱の固定筒に嵌合する回転体の軸方向（扉厚方向）の微調節を自動的に行うことである。本願発明の第２の目的は、実施形態如何によっては、前記第１の目的を合理的な構成（簡単な構成）におこなうことである。第３の目的は、実施形態如何によっては、軸方向の微調節を、複数段階（二段）で行うことができることである。その他、構成部材の組み合わせが容易であることである。
【課題を解決するための手段】
【００１０】
本発明の扉用面付ユニットからの動力連結機構は、扉の自由端部に固定的に組み込まれる錠箱内の出力部と、前記扉の壁面に取付けられる扉用面付ユニットの入力部との間に連結的に介在し、前記入力部から入力を前記出力部に伝える扉用面付ユニットからの動力連結機構に於いて、前記動力連結機構は、前記錠箱に固定されると共に中心部に水平嵌合孔を有する固定筒と、この固定筒に嵌合すると共に前記入力部に係合する外端係合部を有する第１回転体と、同様に前記固定筒に嵌合すると共に一端部が該第１回転体の内端部と係合して共働回転し、かつ他端部が前記出力部に係合する第２回転体と、この第２回転体と前記第１回転体に介在し、前記扉用面付ユニットを前記扉の壁面に取付けたとき、前記出力部の位置と前記壁面との距離に対応して扉の厚さ方向に伸縮する弾発性部材とから成ることを特徴とする。
【００１１】
ここで、「扉用面付ユニット」には、手動又は電動如何を問わす、扉錠を施・解錠するために開き戸、引戸等の扉の壁面に取付けられるシリンダ装置、又はサムターン装置、或いはまたハンドル装置をいう。
【発明の効果】
【００１２】
（ａ）請求項１に記載の発明は、扉用面付ユニットを扉の壁面（内壁面や外壁面）に取付けた場合に於いて、扉厚全体、扉の内外の外板の厚味、錠箱の大きさや取付け如何等によって、デッドボルト用制御手段のセンターから扉の壁部（内壁の外面又は外壁の外面）までの距離が相違しても、連結後における扉用面付ユニットの入力部から錠箱内の出力部までの作動性に関して問題が生じないと共に、少なくとも固定筒に嵌合する回転体の軸方向（扉厚方向）の微調節を自動的に行うことができる。また実施形態如何によっては、合理的な構成（簡単な構成）である。さらに、実施形態如何によっては、軸方向の微調節を、複数段階（二段）で行うことができる。その他、構成部材の組み合わせが容易である。
（ｂ）請求項２に記載の発明は、扉用面付ユニットは、扉錠におけるサムターン装置のみならず、例えばシリンダ装置にも適用することができる。
（ｃ）請求項３に記載の発明は、扉用面付ユニットが、サムターン装置である場合には、第１回転体は短筒状に形成され、該短筒状の第１回転体の係合穴に入力部を構成するサムターン軸が係入すると共に、前記サムターン軸の外周部に前記第１回転体を第２回転体の方向に押付ける押圧部分が形成されているので、（ａ）の効果を確実に得ることができる。
（ｄ）請求項４に記載の発明は、扉用面付ユニットが、サムターン装置である場合には、第１回転体は、固定筒の水平嵌合孔に内装された短筒部と、該短筒部に一体的に設けられ或いは一体成形され、前記固定筒の水平嵌合孔から突出して扉用面付ユニットの入力部を構成する回転体の係合穴に係入する長杆状軸部とから成り、前記第１回転体が弾発部材の弾発力に抗して第２回転体の方向にスライドする条件は、前記長杆状軸部に設けた突起部分が扉の壁面に当接するか、又は前記長杆状軸部の外端部が前記扉用面付ユニットに当接するか、或いは又前記入力部の回転体の受け部に当接するか、のいずれかであるから、（ａ）の効果を確実に得ることができる。
（ｅ）請求項５に記載の発明は、第２回転体２８が、第１係合片２８Ａと、該第１係合片に面接触状態で一体的に係合すると共に異径の連結軸部が出力部に係合する第２係合片２８Ｂとで構成され、前記第２係合片は固定筒の内端部に内設された止め具３７で規制されているので、例えば前記第２係合片（２８Ｂ）の薄肉状に形成しても、第１回転体と第２回転体の係合状態に不具合が生じない。つまり、両回転体は常に一体的に結合する。
【図面の簡単な説明】
【００１３】
図１乃至図８は本発明の第１実施形態を示す各説明図、図９乃至図１１は本発明の第２実施形態を示す各説明図。
【図１】扉、錠箱、面付ユニットを含む平面視からの概略断面説明図。
【図２】主要部の概略断面説明図。
【図３】錠箱に対する固定筒の取付け構造の一例を示す説明図。
【図４】主要部を構成する各部材の分解斜視図。
【図５】第１回転体、第２回転体等に外嵌合する固定筒を、扉の壁面（例えば内壁面）側から見た説明図（正面図）。
【図６】図５を基準とした背面からの説明図。
【図７】デッドボルト用制御手段のセンターから扉の壁部（例えば内壁の外面）の距離（扉厚）が、図２の場合よりも狭まった場合の説明図。
【図８】図７よりも上記距離（扉厚）が狭まった場合の説明図。
【図９】第２実施形態の図１と同様の概略断面説明図。
【図１０】主要部を構成する部材の分解斜視図。
【図１１】図９よりも上記距離（扉厚）が狭まった場合の説明図。
【図１２】固定筒の取付け構造の第２の実施形態を示す概略説明図。
【図１３】固定筒の取付け構造の第３の実施形態を示す概略説明図。
【発明を実施するための最良の形態】
【００１４】
図１乃至図８は本発明の第１実施形態を示す各説明図である。図１は平面視から環境全体を概略的に示したもので、この全体の環境を示す図１を基準として、扉１の壁部の外壁面１ａを左側とし、一方、その壁部の内壁面１ｂを右側とする。また「外端部」と「内端部」の各用語は、図１を基準として、例えば入力部３側を固定筒２１の外端部、出力部５側を固定筒２１の内端部という。
【００１５】
図１では、扉１に内装された錠箱４の一部を切欠きし、また軸受けに相当する一対のカム支持部材１１、固定筒用固定手段１２等を仮想線で示すと共に、出力部５としての一対のデッドカム５ａ、５ｂ及び本発明の主要部Ｘを実線（断面）で示してある。
本発明は、例えば扉１の内壁面１ｂに取付けられた面付ユニット（例えばサムターン装置）２の入力部３からの入力を、開き戸、引戸等の扉１の先端部（自由端部）に扉木口を介して組み込まれた錠箱４内の出力部５（例えばデッドカム５ｂ）に伝える動力伝達機構Ｘである。この動力伝達機構Ｘの概念は、いわば前記入力部３と前記出力部５を連係或いは接続する連結プラグ或いは接続アダプタ（複数個の部材から成る連結具）なので、明確である。
【００１６】
さて、一部仮想線で示した錠箱４の内部を見ると、該錠箱４内に仮想線で示す一対のカム支持部材１１、１１を左右対称に固定している。カム支持部材１１の構成は自明事項なので、詳細な説明を省略する。入力部５を構成する内外のデッドカム５ａ、５ｂは、軸受けに相当する前記一対のカム支持部材１１、１１の間に挟みこまれた状態で、手動の操作力により、又は電動モータの駆動力により、回動可能に支承されている。
【００１７】
したがって、面付ユニット２を有する扉錠は、例えば機械的に開閉可能であると共に電気的にも開閉可能である。付言すると、扉錠は、人の操作力（合鍵、サムターン）によって回転する出力部５、該出力部の出力によって錠箱４から機械的に突出する図示しないデッドボルトを備える錠前が、同時に電気と接続すると共に各種の信号を処理する図示しない制御部、該制御部によって制御される図示しない駆動モータを備える電気錠でもある。
【００１８】
もちろん、本発明の主要部が適用される扉錠は単なる機械的に開閉可能な錠前であっても良い。また扉錠が電気錠である場合には、上記面付ユニット２の筺体２ａには、図示しない認証手段等が直接又は間接的に設けられている。なお、「扉錠」の概念は、例えば特開２０１４−１２９７０２号にも用いられており、扉錠は単なる機械的な錠前のみならず、各種の機能を有する錠前を含む「上位概念」である。
【００１９】
通常、出力部５を構成するデッドカム（ダルマとも称されている）は、室外側のもの５ａと、室内側のもの５ｂとに分割されており、前記室外側のデッドカム５ａは図示しないシリンダ錠のテールピースに、一方、前記室内側のデッドカム５ｂは室内側の入力部５を構成するサムターン摘み３ａを含むサムターン軸３ｂに直接又は動力伝達機構Ｘを介して間接的に連係されている。
【００２０】
しかして、本発明では、実施形態の一例として、室内側の面付ユニット２（例えばサムターン装置）を図１に示すと共に、発明の課題（面付ユニット２の取付け時、固定筒に設けた回転体を扉厚に対応させて軸方向に自動調整させること。）を達成するため、前記入力部３は、例えばサムターン軸３ｂであり、該サムターン軸３ｂからの回転入力は、前記動力伝達機構（接続アダプタ或いは連結具）Ｘを介して間接的に前記出力部５の一方である室内側のデッドカム５ｂに伝達される。
【００２１】
この動力伝達機構Ｘの固定筒２１は、例えば扉の内壁面１ｂの開口１３及び錠箱４の幅広一側面４ｂ（幅広他側面は４ａとする）の室内側の開口１４を介して錠箱４内に一部が挿入され、前述した室内側のデッドカム５ｂに後述する第２回転体が連係する。そして、前記固定筒２１の筒状大径部２１ａの外周面には半径外方向に一対の耳片状突起部２１ｃが一体に突設されており、各耳片状突起部２１ｃの装着杆孔等に、固定手段の一例である櫛状の固定手段１２が水平状態に貫通する（図３参照）。つまり、固定手段１２、固定構造等の如何を問わず、動力伝達機構Ｘの固定筒２１は錠箱４に固定される。
【００２２】
ここで、符号Ｗ１及びＷ２を参照にして「扉厚」の概念を説明する。Ｗ１及びＷ２は、出力部５のセンターＯ（デッドカム５ａとデッドカム５ｂの接合面）と扉１の壁面（例えば内壁面）１ｂの幅（距離）を意味する。したがって、例えば入力部３のコア軸３ｃを含むサムターン軸３ｂの長さが一定ならば、扉１を構成する外板（ハッチングで示した板部）ｂの厚さ如何によって、Ｗ１及びＷ２の幅が相違するので、扉厚の最大限Ｗ１と、扉厚の最小限Ｗ２を考慮して、面付ユニット２の入力部３から錠箱４内の出力部５に回転入力が良好に伝える必要が生ずる。そこで、本発明では、図４乃至図６で示す動力伝達機構（連結プラグ或いは連結具）Ｘを採用している。
【００２３】
図１と共に図４を参照にして主要部を構成する各部材を説明する。前述したように、錠箱４の基板に相当する一側壁４ｂに櫛棒、ネジ、接着、溶着、オス・メス係合部等の固定手段１２（実施形態では櫛棒）を介して直接又は間接的に固定される固定筒２１は、図１で示すように断面略コ字形状の筒状体であり、該固定筒２１には、後述の第１回転体２５を介してサムターン軸２５のコア軸（非真円形状、輪郭が異径形状の軸芯部分）３ｃが係入状態で連結される。
【００２４】
しかして、図４の手前側に示した固定筒２１は、左右或いは上下に一対の耳状突起部２１ｃを有する筒状大径部２１ａと、この筒状大径部の外端面（図面右側）に環状に突出形成された筒状小径部２１ｂと、前記筒状小径部２１ｂの外端面（図面右側）に連設形成され、その中心部に水平嵌合孔２２を有する環状のストッパ部２１ｄとから成る。
図１で示すように、固定筒２１の両端開口の大きさは、外端開口に相当する水平嵌合孔２２よりも内端開口に相当する略円形の嵌合孔の方が大きい（大径嵌合孔２３）。そして、前記大径嵌合孔２３付近の筒状大径部２１ａの内周面には、後述する止め具用の細幅係合溝２４が周設されている。
【００２５】
次に、符号２５は固定筒に嵌合すると共に、外端部に前記入力部としてのコア軸３ｃに係合する凹所（実施形態）又は凸所のいずれかの外端係合部２５ａを有する第１回転体である。実施形態では、第１回転体２５は短筒状の略中央部に輪郭形状が円形の鍔部２５ｂが設けられ、該鍔部２５ｂを基準として、その一端面側に前述した外端係合部２５ａが設けられ、一方、その他端面側に内端係合部２５ｃが設けられている。第１回転体２５は硬質の合成樹脂材で成形されていることから、外端係合部２５ａと円形鍔部２５ｂと内端係合部２５ｃは一体である。そして、前記外端係合部２５と内端係合部２５ｃには、凹所係合孔２６がコア軸３ｃ（軸線）方向に形成されており、実施形態では、前記凹所係合孔２６は前記コア軸３ｃの外周面の「＋」型凹凸形状に対応して「＋」型の貫通孔である。
【００２６】
もちろん、凹所係合孔２６の形状は任意事項である。また前記内端係合部２５ｃの外周面には周方向に等間隔の凹凸部分２７が複数個（例えば４個）設けられ、該凹凸部分２７は、第２回転体２８の複数の係合爪と略ぴったりと係合する。第１回転体２５は軸線方向に移動可能に固定筒２１の大径嵌合孔２３から内設されるが、その円形鍔部２５ｂの外端面が環状のストッパ部２１ｄの内面に当接した場合には、図１で示すように水平嵌合孔２２から突出する。したがって、固定筒２１は第１回転体２５に遊嵌状態に外嵌合する。
【００２７】
次に第２回転体２８を説明する。第２回転体２８は第１回転体２５と同様に固定筒２１に嵌合すると共に、外端部に相当する一端部が該第１回転体２５の内端部（実施形態では複数の係合爪を有する内端係合部２５ｃ）と係合して共働回転し、かつ、内端部に相当する他端部が前述した出力部に係合する。
【００２８】
実施形態では、第２回転体２８は二物品２８Ａ、２８Ｂで構成され、これらの二物品２８Ａ、２８Ｂは、面接触状態で一体的に合体する。すなわち、第２回転体２８は、第１回転体２５と同様に硬質の合成樹脂材でやや肉厚の輪状或いは盤状に成形された第１係合片２８Ａと、該第１係合片２８Ａの内端面に一体的に合体する金属材料で薄肉の略円板状に成形された第２係合片２８Ｂとから成る。
【００２９】
しかして、輪状或いは盤状の第１係合片２８Ａは、その外端面の中心孔３０の縁部分に前述した複数個（例えば４個）の係合爪片２９を周方向に等間隔を有しており、これらの係合爪片２９は前述した第２回転体２８の凹凸部分２７に略ぴったりと係合する。一方、円盤状の第１係合片２８Ａの内端面（一側面）の外周縁部分には、周方向に等間隔を有して切欠状係合溝を形成する複数個（例えば４個）の弧状係合突片３１が設けられており、これらの弧状係合突片３１は略円板状で薄肉の第２係合片２８Ｂの複数個（例えば４個）の突部３３と前記不番の切欠状係合溝を介して略ぴったりと係合する。
【００３０】
そして、第２係合片２８Ｂの内端面の略中央部には、例えばコア軸３ｃと同様の形態をした外周輪郭が異径の連結軸部３４が軸線方向に突出するように設けられ、該異径の連結軸部３４は、出力部５としての室内側のデッドカム５ｂの係合孔に係入する。
【００３１】
なお、出力部５と係合する異径の連結軸部３４を有する第２係合片２８Ｂは金属材で薄肉盤状に形成しているが、第１係合片２８Ａの強靭性を図ることができるならば、短筒状の一物品にしても良い。そのような実施形態の場合には、必ずしも止め具３７を用いる必要はない。
【００３２】
次に符号３６は、固定筒２１に内設される弾発性部材（例えば押しばね）である。この弾発性部材３６は、第２回転体２８と第１回転体２５に介在し、扉用面付ユニット２を扉１の内壁面１ｂに取付けたとき、出力部の中心Ｏの位置と内壁面１ｂとの距離に対応して、前記扉厚（Ｗ１、Ｗ２）方向に伸縮する。実施形態では、例えばサムターン軸３ｂの一部（押圧部分）が第１回転体２５の外端係合部２５ａの周縁部に当り、該サムターン軸３ｂに押されることにより、弾発性部材３６は収縮状態となる。
【００３３】
したがって、扉厚（Ｗ１、Ｗ２等）如何によって、例えば図１で示すように扉厚が「Ｗ１」である場合には、「Ｗ１」よりも厚い分、サムターン軸３ｂ及びコア軸３ｃが第２回転体２８から軸線方向へと離れるので、弾発性部材３６は伸長する。この点に関して、図７はデッドボルト用出力手段のセンターＯから扉の壁部（例えば内壁面１ｂ）の距離（扉厚）Ｗ２が、図２の場合よりも狭まった場合、また図８は図７よりも上記距離（扉厚）Ｗ３が狭まった場合の説明図である。
【００３４】
ところで、実施形態では、好ましくは第２回転体２８が軸線方向に移動しないように止め具３７が固定筒２１に内設される。そして、止め具３７は、規制リング３７Ａと、該規制リングの内端面に当る弾性Ｃリング３７Ｂとから成り、前記弾性Ｃリング３７Ｂは固定筒２１の細幅周溝２４に嵌め込まれている。
【００３５】
したがって、第１実施形態の動力連結機構Ｘは、扉１の自由端部に固定的に組み込まれる錠箱４内の出力部（手動又は電動による回転体）５と、前記扉１の壁面（外壁面１ａ又は／及び内壁面１ｂ）に取付けられる扉用面付ユニット２の入力部（例えばシリンダ装置のテールピースやサムターン装置のサムターン軸）３との間に連結的に介在し、前記入力部３から入力を前記出力部５に伝えるものであって、前記動力連結機構Ｘは、前記錠箱４に固定されると共に、中心部に水平嵌合孔２２を有する固定筒２１と、この固定筒２１に嵌合すると共に、外端部に前記入力部３に係合する凹所（例えば係合孔）の外端係合部２５ａを有する第１回転体２５と、同様に前記固定筒２１に嵌合すると共に、一端部が該第１回転体２５の内端部と係合して共働回転し、かつ他端部が前記出力部３に係合する単数又は複数の第２回転体２８と、この第２回転体２８と前記第１回転体２５に介在し、前記扉用面付ユニット２を前記扉１の壁面（例えば内壁面１ｂ）に取付けたとき、前記出力部の位置と前記壁面との距離に対応して、前記扉厚（Ｗ１、Ｗ２等）方向に伸縮する弾発性部材３６とから成る。
【実施例】
【００３６】
扉用面付ユニットについて、実施形態では、扉錠におけるサムターン装置を一例にして説明したが、前述したようにシリンダ装置であっても良い。そして、サムターン装置及びシリンダ装置を「扉錠」に取付けて本発明の主要部を適用する場合には、前記サムターン装置及びシリンダ装置は、それぞれ機械式でも、制御部、駆動モータ等を含む電動式でも、両者の機能を有するものであっても良い。つまり、扉錠の形態や錠前の機能は問わない。
【００３７】
次に図９乃至図１１を参照にして、本発明の第２実施形態を説明する。なお、第２実施形態の説明に当って、第１実施形態と同一の部分には同一又は同様の符号を付して重複する説明を割愛する。
【００３８】
第２実施形態は、固定筒２１に嵌合する第１回転体２５Ａが第１実施形態の第１回転体２５と異なる。すなわち、第１回転体２５Ａの入力部３に係合する外端係合部２５ａは、凹所（係合孔）ではなく、凸所である。前記凸所は、第１回転体２５Ａの鍔部２５ｂの外端面の中央部に水平状態に連設し、かつ、固定筒２１の水平嵌合孔２２から突出する所定長の長杆状軸部２６Ａであり、該長杆状軸部２６Ａの外周面の輪郭は第１実施形態のコア軸と同様に異径である。したがって、面付ユニット２Ａの入力部３Ａのサムターン軸３ｂの先端部はやや大径であり、該先端大径部には前記長杆状軸部２６Ａの異径外端部が係合する異径係合穴７が形成されている。
【００３９】
図１１は、図９よりもＷ１の距離（扉厚）が狭まった場合の説明図である。この場合には、長杆状軸部２６Ａの先端面が異径係合穴７の奥の垂直受け面７ａに当り、弾発性部材３６はサムターン軸３ｂに押されて収縮する。もちろん、弾発性部材３６が収縮する態様は、サムターン軸３ｂの適宜箇所に鍔部を設けることによっても行うことができる。
【００４０】
したがって、第２実施形態の扉用面付ユニット２Ａが、例えばサムターン装置である場合には、第１回転体２５Ａは、固定筒２１の水平嵌合孔２２に内装された内端部側の短筒部２５ｃと、該短筒部２５ｃに一体的に設けられ或いは一体成形され、前記固定筒２１の水平嵌合孔２２から突出して扉用面付ユニット２Ａの入力部３Ａを構成する回転体（例えばサムターン軸３ｂ）の係合穴７に係入する長杆状軸部２６Ａとから成り、前記第１回転体２５Ａが弾発部材３６の弾発力に抗して第２回転体２８の方向にスライドする条件は、前記長杆状軸部２６Ａに設けた複数又は鍔状の突起部分が扉１の内壁面１ｂに当接するか、又は前記長杆状軸部２６Ａの外端部が前記扉用面付ユニット２Ａの適宜箇所（例えばユニット取付け板３９）に当接するか、或いは又前記入力部３Ａの回転体３ｂの受け部７ａに当接するか、のいずれかである。ところで、第２実施形態は、長杆状軸部２６Ａの先端面が異径係合穴７の奥の垂直受け面７ａに当る構成なので、結果として、前記垂直受け面７ａと前記長杆状軸部２６Ａの先端面に「間隙」が生じた場合には、該間隙と弾発性部材３６の収縮という軸方向の微調節を、複数段階（二段）で行うことができる。
【００４１】
ところで、実施形態では、第２回転体２８を規制する止め具３７が固定筒２１の内端部の周溝に嵌め込まれているが、該止め具３７は一実施例であり、必ずしも本発明の特定要件ではない。
【００４２】
また、図１２及び図１３は本発明の固定筒２１の取付け構造に関する他の実施形態を示す概略説明図である。固定筒２１の固定手段１２や固定態様は、本発明の本質的事項ではないので、詳細な説明及び図面を割愛するが、例えば図１２で示すように錠箱１の幅広の両側面４ａ、４ｂを貫通する構造であっても良いし、図１３で示すように複数本のネジ１２で固着する構造であっても良い。
【産業上の利用可能性】
【００４３】
本発明は、建具の扉錠に用いることができる。
【符号の説明】
【００４４】
Ｘ…動力連結機構、
１…扉、
Ｗ１、Ｗ２…扉厚、
２、２Ａ…扉用面付ユニット、
３、３Ａ…入力部、
４…錠箱、
５…出力部、
７…異径の係合穴、７ａ…受け面、
１１…カム支持部材、
１２、１２Ａ…固定手段、
１３…内壁面の開口、
１４…錠箱の幅広側壁の開口、
２１…固定筒、
２２…水平嵌合孔、
２３…大径嵌合孔、
２４…周溝、
２５、２５Ａ…第１回転体、
２５ａ…外端係合部、
２６…貫通孔、
２６Ａ…長杆状軸部、
２７…凹凸係合部分、
２８…第２回転体、
２９…係合爪片、
３０…中心孔、
３１…係合突片、
３３…突部、
３４…連結軸部、
３６…弾発性部材、
３７…止め具。
【図１】
2016151140.tif 000003
【図２】
2016151140.tif 000004
【図３】
2016151140.tif 000005
【図４】
2016151140.tif 000006
【図５】
2016151140.tif 000007
【図６】
2016151140.tif 000008
【図７】
2016151140.tif 000009
【図８】
2016151140.tif 000010
【図９】
2016151140.tif 000011
【図１０】
2016151140.tif 000012
【図１１】
2016151140.tif 000013
【図１２】
2016151140.tif 000014
【図１３】
2016151140.tif 000015